(57)【要約】【課題】  サンドブラスト処理を行う作業室内をほぼ均一に明るく照明する。【解決手段】  筐体１１０は、サンドブラスト処理を行う作業室１０１と、作業室１０１を照明するための光源１０４が収納されたランプ室１０２とを内包する。作業室１０１とランプ室１０２とを仕切る隔壁１３０の照明窓１３２は透光板１３４で塞がれる。光源１０４の交換は、透光板１３４を取り外し、作業室１０１及び照明窓１３２を介して行う。隔壁１３０の少なくとも一部は透光性を有し、光源１０４からの光は透光板１３４及び隔壁１３０の透光性を有する部分を透過して作業室１０１内に導かれる。【選択図】  図２
2005218637.tif 000002
【特許請求の範囲】
【請求項１】
被処理物の表面にサンドブラスト処理を行う作業室、及び前記作業室を照明するための光源が収納されたランプ室を内包する筐体と、
前記筐体内に設けられ、前記作業室と前記ランプ室とを仕切る隔壁と、
前記隔壁に設けられた照明窓と、
前記照明窓を塞ぐように取り付けられ、前記光源からの光を前記作業室に透過させる透光板と
を備え、
前記光源の交換は、前記透光板を取り外し、前記作業室及び前記照明窓を介して行うように構成された歯科用サンドブラスト装置であって、
前記隔壁の少なくとも一部が透光性を有し、前記光源からの光が前記隔壁の前記透光性を有する部分を透過して前記作業室内に導かれることを特徴とする歯科用サンドブラスト装置。
【請求項２】
被処理物の表面にサンドブラスト処理を行う作業室、及び前記作業室を照明するための光源が収納されたランプ室を内包する筐体と、
前記筐体内に設けられ、前記作業室と前記ランプ室とを仕切る隔壁と
を備え、
前記光源の交換は、前記筐体に設けられた開口を介して、前記作業室を介することなく行うように構成された歯科用サンドブラスト装置であって、
前記隔壁の少なくとも一部が透光性を有し、前記光源からの光が前記隔壁の前記透光性を有する部分を透過して前記作業室内に導かれることを特徴とする歯科用サンドブラスト装置。
【請求項３】
前記作業室の内壁面の少なくとも一部が淡色の有彩色又は無彩色を有している請求項１又は２に記載の歯科用サンドブラスト装置。
【請求項４】
前記筐体のうち前記作業室を外界と隔てる部分の少なくとも一部が透光性を有し、外界の光が前記筐体の前記透光性を有する部分を透過して前記作業室内に導かれる請求項１又は２に記載の歯科用サンドブラスト装置。
【請求項５】
被処理物の表面にサンドブラスト処理を行うための砥粒を噴射するノズルペンと、
前記サンドブラスト処理を行う作業室を内包する筐体と、
前記作業室内に手を挿入するために前記筐体に設けられた開口と
を備えた歯科用サンドブラスト装置であって、
前記ノズルペンの把持部の外周面の少なくとも一部に弾性材料が配されていることを特徴とする歯科用サンドブラスト装置。
【請求項６】
前記弾性材料に塗料粉が混入されている請求項５に記載の歯科用サンドブラスト装置。
【発明の詳細な説明】
【技術分野】
【０００１】
本発明は、歯科用鋳造品の外表面処理を行う歯科用サンドブラスト装置に関する。
【背景技術】
【０００２】
歯科治療において使用される金属床やクラウンブリッジは金属材料の鋳造品が使用される。鋳造直後の鋳造品の表面には鋳型材が付着しているので、これを除去し、更に表面凹凸を取り除き表面を滑らかに仕上げる必要がある。この鋳造品の表面の異物除去は一般にサンドブラスト法が用いられる（例えば、非特許文献１参照）。
【０００３】
図１０は従来の一般的な歯科用サンドブラスト装置の外観斜視図である。また、図１１はこの歯科用サンドブラスト装置の内部構造を示した斜視透視図である。
【０００４】
歯科用サンドブラスト装置９００内の空間は、サンドブラスト処理を行う作業室９０１と、サンドブラスト処理のための砥粒を貯蔵するための砥粒ストッカや、圧縮空気を制御する弁、電気回路などが配される機械室とに大別される。作業室９０１を覆う外ケース９１０には、作業室９０１内を観察するための覗き窓（開口）９１１と、作業室９０１内に両手を挿入するための一対の開口９１４ａ，９１４ｂとが形成されている。覗き窓９１１は開閉可能な透明ガラス等からなる透明板９１２で塞がれる。一対の開口９１４ａ，９１４ｂにはそれぞれゴム手袋（図示せず）が取り付けられている。
【０００５】
図１１に示すように、作業室９０１と機械室とは隔壁９２０で分離されている。９３０は、砥粒９３８を噴射するノズルペンである。機械室内に貯蔵された砥粒は装置外から供給される圧縮空気によってエアチューブ９３２内を搬送され、ノズルペン９３０の先端から噴射される。
【０００６】
隔壁９２０には照明窓９２２が設けられ、照明窓９２２はすりガラスなどの透光性の透光板９２４で塞がれている。機械室内には透光板９２４の近傍に照明用ランプ（図示せず）が設けられている。ランプからの光は透光板９２４を通って作業室９０１内を照明する。
【０００７】
サンドブラスト処理は以下のようにして行う。覗き窓９１１を透明板９１２で塞ぎ、一対の開口９１４ａ，９１４ｂから両手を作業室９０１内に挿入する。このとき、一対の開口９１４ａ，９１４ｂに取り付けられたゴム手袋を両手に装着する。一方の手でノズルペン９３０を把持し、他方の手で被処理物（鋳造品）を保持して、覗き窓９１１から作業室９０１内を覗きながらサンドブラスト処理を行う。
【０００８】
ノズルペン９３０の交換や、作業室９０１内の清掃などは、透明板９１２を開き、覗き窓９１１を介して行う。照明用ランプの交換も、透明板９１２を開き、照明窓９２２を塞ぐ透光板９２４を取り外して行う。従って、このとき照明窓９２２はランプ交換用の開口として機能する。
【非特許文献１】川原春幸監修、「歯科用コバルト・クロム合金鋳造法」、第１版、医歯薬出版株式会社、昭和５４年８月２０日発行、２４５〜２４９頁
【発明の開示】
【発明が解決しようとする課題】
【０００９】
上記の従来の歯科用サンドブラスト装置は以下のような問題を有していた。
【００１０】
第１は、作業室内が暗いという問題である。サンドブラスト処理時には砥粒や被処理物表面から削り取られた粉塵が舞い上がるので、作業室９０１は、金属又は樹脂の不透光性板材からなる外ケース９１０及び隔壁９２０で覆われた気密構造が採用されている。このような作業室９０１内は、隔壁９２０に設けられた照明窓９２２を塞ぐ透光板９２４を透過する照明用ランプの光と、覗き窓９１１から入射する外界の光とによって照明される。しかしながら、隔壁９２０に設けられた限られた大きさの照明窓９２２及び透光板９２４では作業室内全体を均一に明るく照明することは困難である。しかも、照明の方向が、被処理物に対して作業者の側とは反対側であるので、作業者側に影が形成されてしまう。また、覗き窓９１１は作業者によって塞がれることが多いため、覗き窓９１１からの光だけでは十分な明るさを確保できない。
【００１１】
第２は、ノズルペン９３０に関する問題である。ノズルペン９３０の把持部は金属材料で構成されており、これをゴム手袋を装着した手で把持する。サンドブラスト処理中は、砥粒や被処理物表面から削り取られた粉塵がノズルペン９３０の把持部及びゴム手袋の外表面に付着して、把持部とゴム手袋との間の摩擦力を低下させる。従って、滑りやすくなり、滑りを防止しようとノズルペン９３０を強く把持し続けると手指が疲労する。
【００１２】
本発明の第１の目的は、作業室内をほぼ均一に明るく照明できる歯科用サンドブラスト装置を提供することにある。また、本発明の第２の目的は、ノズルペンを把持した際の滑りと疲労が少ない歯科用サンドブラスト装置を提供することにある。
【課題を解決するための手段】
【００１３】
本発明の第１の歯科用サンドブラスト装置は、被処理物の表面にサンドブラスト処理を行う作業室、及び前記作業室を照明するための光源が収納されたランプ室を内包する筐体と、前記筐体内に設けられ、前記作業室と前記ランプ室とを仕切る隔壁と、前記隔壁に設けられた照明窓と、前記照明窓を塞ぐように取り付けられ、前記光源からの光を前記作業室に透過させる透光板とを備え、前記光源の交換は、前記透光板を取り外し、前記作業室及び前記照明窓を介して行うように構成される。そして、前記隔壁の少なくとも一部が透光性を有し、前記光源からの光が前記隔壁の前記透光性を有する部分を透過して前記作業室内に導かれることを特徴とする。
【００１４】
本発明の第２の歯科用サンドブラスト装置は、被処理物の表面にサンドブラスト処理を行う作業室、及び前記作業室を照明するための光源が収納されたランプ室を内包する筐体と、前記筐体内に設けられ、前記作業室と前記ランプ室とを仕切る隔壁とを備え、前記光源の交換は、前記筐体に設けられた開口を介して、前記作業室を介することなく行うように構成される。そして、前記隔壁の少なくとも一部が透光性を有し、前記光源からの光が前記隔壁の前記透光性を有する部分を透過して前記作業室内に導かれることを特徴とする。
【００１５】
本発明の第３の歯科用サンドブラスト装置は、被処理物の表面にサンドブラスト処理を行うための砥粒を噴射するノズルペンと、前記サンドブラスト処理を行う作業室を内包する筐体と、前記作業室内に手を挿入するために前記筐体に設けられた開口とを備える。そして、前記ノズルペンの把持部の外周面の少なくとも一部に弾性材料が配されていることを特徴とする。
【発明の効果】
【００１６】
本発明の第１及び第２の歯科用サンドブラスト装置によれば、作業室内をほぼ均一に明るく照明することができる。
【００１７】
また、本発明の第３の歯科用サンドブラスト装置によれば、ノズルペンを把持した際の滑りと疲労を低減することができる。
【発明を実施するための最良の形態】
【００１８】
（実施の形態１）
図１は本発明の実施の形態１に係る歯科用サンドブラスト装置の外観斜視図である。図２は、図１のII−II線での矢視断面図である。
【００１９】
歯科用サンドブラスト装置１００の筐体１１０の内部は、隔壁１３０により大きく２つの空間に分割される。第１の空間はサンドブラスト処理を行う作業室１０１であり、第２の空間はサンドブラスト処理のための砥粒を貯蔵するための砥粒ストッカや、圧縮空気を制御する弁、電気回路など（いずれも図示を省略）が配される機械室１０２である。
【００２０】
筐体１１０には、作業室１０１内を観察するための覗き窓（開口）１１１と、作業室１０１内に両手を挿入するための一対の開口１１４ａ，１１４ｂとが形成されている。覗き窓１１１は透明ガラス等からなる透明板１１２で塞がれる。透明板１１２は、その上端に設けられた蝶板１１６により矢印１１２ａ方向に回動して、覗き窓１１１を開閉する。一対の開口１１４ａ，１１４ｂにはそれぞれゴム手袋（図示せず）が取り付けられている。
【００２１】
隔壁１３０には照明窓１３２が設けられ、照明窓１３２はすりガラスなどの透光性の透光板１３４で塞がれている。隔壁１３０もまたすりガラスなどの透光性の材料からなる。機械室１０２内には透光板１３４の近傍に照明用ランプ（光源）１０４が設けられている。従って、本例では、機械室１０２が、ランプ１０４が収納されたランプ室を兼ねている。ランプ１０４が機械室１０２の広い空間内に配されているので、ランプ１０４からの放熱が容易である。
【００２２】
図３は、本実施の形態１の歯科用サンドブラスト装置１００の作業室１０１の概略構成を示した斜視透視図である。作業室１０１内には、砥粒１４８ａ，１４８ｂをそれぞれ噴射する２本のノズルペン１４０ａ，１４０ｂが備えられている。機械室１０２内に貯蔵された砥粒１４８ａ，１４８ｂは装置外から供給される圧縮空気によってエアチューブ１４７ａ，１４７ｂ内を搬送され、ノズルペン１４０ａ，１４０ｂの先端から高速気流とともに噴射される。ノズルペン１４０ａ，１４０ｂは、例えば材質や粒度が互いに異なる２種類の砥粒１４８ａ，１４８ｂをそれぞれ噴射する。必要な表面処理に応じて２本のノズルペン１４０ａ，１４０ｂのうちの一方が選択的に使用される。
【００２３】
ノズルペン１４０ａ，１４０ｂの交換や、作業室１０１内の清掃などは、透明板１１２を開き、覗き窓１１１を介して行う。ランプ１０４の交換も、透明板１１２を開き、照明窓１３２を塞ぐ透光板１３４を取り外して、作業室１０１及び照明窓１３２を介して行う。
【００２４】
本実施の形態の歯科用サンドブラスト装置１００を用いたサンドブラスト処理は以下のようにして行う。覗き窓１１１を透明板１１２で塞ぎ、一対の開口１１４ａ，１１４ｂから両手を作業室１０１内に挿入する。このとき、一対の開口１１４ａ，１１４ｂに取り付けられたゴム手袋を両手に装着する。一方の手でノズルペン１４０ａ（又は１４０ｂ）を把持し、他方の手で被処理物（鋳造品）を保持して、覗き窓１１１から作業室１０１内を覗きながらサンドブラスト処理を行う。
【００２５】
本実施の形態の歯科用サンドブラスト装置１００は、透光板１３４のみならず、これが取り付けられた隔壁１３０も透光性材料からなる。従って、ランプ１０４から放出された光は、直接透光板１３４及び隔壁１３０を通過して、又は、機械室１０２の内壁（例えば筐体１１０の内面）で反射した後、透光板１３４及び隔壁１３０を通過して、作業室１０１内に入射する。透光板１３４及び隔壁１３０が面光源の如く作業室１０１内を照明する。作業室１０１内を照明する光の出射領域が広いので、作業室１０１内のほぼ全域を場所によらずほぼ均一に照明できる。また、影の発生を抑えることができる。更に、作業室１０１内がほぼ均等な明るさで照明されるので、作業者の目の疲労を低減する効果をも奏する。
【００２６】
また、従来の歯科用サンドブラスト装置９００（図１０及び図１１参照）では、隔壁９２０は光不透過性であるので、ランプから出射し機械室の内壁で反射した光の大部分は隔壁９２０で遮られ、照明窓９２２を通過することができない。従って、光の利用効率が悪かった。これに対して、本実施の形態では、ランプ１０４から出射し機械室１０２の内壁で反射した光は、照明窓１３２に入射できなくても、隔壁１３０に入射しさえすれば、作業室１０１を照明することができる。従って、光利用効率が格段に向上する。よって、従来と同一のランプを用いた場合には、作業室１０１の明るさを向上させることができる。あるいは、ランプの消費電力を少なくして、発熱を低減することができる。
【００２７】
透光板１３４と隔壁１３０との光透過特性は同一でも異なっていてもよい。但し、ランプ１０４の近傍に配される透光板１３４の方が光透過特性が良好であると、ランプ１０４からの光の有効利用が実現できるので好ましい。透光性を有する透光板１３４及び隔壁１３０の材質は特に制限されないが、例えば、樹脂、ガラスなどを使用できる。
【００２８】
上記の実施の形態では、ランプ１０４が機械室１０２内に収納される場合を示したが、図４に示されるサンドブラスト装置１５０のように、ランプ１０４が機械室１０２とは別の空間（ランプ室１５３）内に収納されていても良い。１５２はランプ室１５３と機械室１０２とを仕切る隔壁である。
【００２９】
また、上記の実施の形態では、隔壁１３０の全領域が透光性を有していたが、隔壁１３０の一部に光不透過性の領域を有していてもよい。照明窓１３２を除く隔壁１３０の少なくとも一部が透光性を有しており、ランプ１０４からの光がその透光性を有する部分を透過して作業室１０１内に導かれることにより、作業室１０１の明るさとその均一性とを向上させることができる。
【００３０】
なお、本発明において「隔壁」とは、作業室１０１とランプが収納された空間との間に配されて、両空間を仕切る部材を意味する。従って、例えば、隔壁１３０が筐体１１０との一体成形品であったとしても、本発明の「隔壁」とは、作業室１０１とランプが収納された空間とを仕切る部分のみを意味する。
【００３１】
更に、上記の実施の形態において、作業室１０１の内壁面、即ち筐体１１０及び隔壁１３０の作業室１０１側の面の一部又は全部が淡色の有彩色又は無彩色を有していることが好ましい。これにより、作業室１０１内に入射した光が作業室１０１の内壁面で吸収されることなく乱反射するので、サンドブラスト処理される被処理物が多方面から照明され、影ができにくくなる。ここで、「淡色」とは色の明度が高いこと、即ち、光線反射率が大きいことを意味する。作業室１０１の内壁面の光線反射率は、７０％以上、更には９０％以上であることが好ましい。
【００３２】
また、筐体１１０のうち作業室１０１を外界と隔てる部分の一部又は全部が透光性を有していることが好ましい。これにより、外界の光が筐体１１０の透光性を有する部分を透過して作業室１０１内に導かれるので、作業室１０１内の明るさを更に向上できる。また、筐体１１０の透光性を有する部分が面光源の如くに発光し、作業室１０１内のほぼ全域を照明する。従って、作業室１０１内の明るさが一層均一となり、また、影の発生を抑えることができる。また、ランプ１０４として低ワット数のものを使用でき、消費電力と発熱とを抑えることが可能になる。筐体１１０のうち一対の開口１１４ａ，１１４ｂの間の部分は、サンドブラスト処理される被処理物に対して作業者側に位置するから、この部分が透光性を有すると、透過した光が被処理物を照明し、作業者側に影ができにくくなるので好ましい。
【００３３】
（実施の形態２）
図５は本発明の実施の形態２に係る歯科用サンドブラスト装置の外観斜視図である。図６は、図５のVI-VI線での矢視断面図である。図５及び図６において、実施の形態１と同じ構成要素には同一の符号を付してそれらについての説明を省略する。
【００３４】
本実施の形態のサンドブラスト装置２００では、実施の形態１のサンドブラスト装置１００と異なり、ランプ１０４の交換は、作業室１０１を介することなく、筐体１１０に設けられたランプ交換用の開口２１０を介して行う。従って、筐体１００内において、ランプ１０４が収納されたランプ室２０３と作業室１０１とを仕切る隔壁２３０には、実施の形態１に示したようなランプ１０４を交換するための開口（照明窓１３２）は設けられていない。ランプ交換用の開口２１０は取り外し可能な蓋２１２で閉じられる。ランプ１０４の交換を、筐体１１０に設けられたランプ交換用の開口２１０を介して行うことができるので、ランプ１０４の交換作業が容易である。図６において、２０２は機械室１０２を作業室１０１及びランプ室２０３に対して仕切る隔壁である。
【００３５】
ランプ室２０３と作業室１０１とを仕切る隔壁２３０は、すりガラスなどの透光性材料からなる。ランプ１０４から放出された光は、直接隔壁２３０を通過して、又は、機械室１０２との間の隔壁２０２や、蓋２１２及び筐体１１０の内面で反射した後、隔壁２３０を通過して作業室１０１内に入射する。本実施の形態では隔壁２３０の面積を大きく確保する（例えば図６の紙面垂直方向の寸法を可能な限り大きくする）ことが可能であり、その結果、隔壁２３０が面光源の如く発光し、作業室１０１内のほぼ全域を場所によらずほぼ均一に照明できる。また、影の発生を抑えることができる。また、作業室１０１内がほぼ均等な明るさで照明されるので、作業者の目の疲労を低減する効果をも奏する。更に、ランプ１０４を出射した光の利用効率を向上できるので、作業室１０１内の明るさを向上できる。
【００３６】
図７は本発明の実施の形態２に係る別の歯科用サンドブラスト装置の外観斜視図である。図８は、図７のVIII-VIII線での矢視断面図である。図７及び図８において、図５及び図６と同じ構成要素には同一の符号を付してそれらについての説明を省略する。
【００３７】
図７及び図８に示したサンドブラスト装置２５０は、筐体１１０内でのランプ室の配置が図５及び図６に示したサンドブラスト装置２００と異なる。図７及び図８に示したサンドブラスト装置２５０では、ランプ１０４が収納されたランプ室２５３は、一対の開口１１４ａ，１１４ｂの間に設けられている。ランプ１０４の交換は、作業室１０１を介することなく、筐体１１０に設けられたランプ交換用の開口２６０を介して行う。従って、筐体１１０内において、ランプ室２５３と作業室１０１とを仕切る隔壁２７０には、実施の形態１に示したようなランプ１０４を交換するための開口（照明窓１３２）は設けられていない。ランプ交換用の開口２６０は取り外し可能な蓋２６２で閉じられる。ランプ１０４の交換を、筐体１１０に設けられたランプ交換用の開口２６０を介して行うことができるので、ランプ１０４の交換作業が容易である。
【００３８】
ランプ室２５３と作業室１０１とを仕切る隔壁２７０は、すりガラスなどの透光性材料からなる。ランプ１０４から放出された光は、直接隔壁２７０を通過して、又は、蓋２６２及び筐体１１０の内面で反射した後、隔壁２７０を通過して作業室１０１内に入射する。本構成でも隔壁２７０の面積を大きく確保することが可能であり、その結果、隔壁２７０が面光源の如く発光し、作業室１０１内のほぼ全域を場所によらずほぼ均一に照明できる。また、影の発生を抑えることができる。また、作業室１０１内がほぼ均等な明るさで照明されるので、作業者の目の疲労を低減する効果をも奏する。更に、ランプ１０４を出射した光の利用効率を向上できるので、作業室１０１内の明るさを向上できる。
【００３９】
特に、サンドブラスト装置２５０では、サンドブラスト処理される被処理物が、被処理物に対して作業者側とほぼ同じ側に配置されたランプ１０４からの光で照明されるので、作業者側に影ができにくくなる。
【００４０】
上記の例では隔壁２３０，２７０の全領域が透光性を有していたが、隔壁２３０，２７０の一部に光不透過性の領域を有していてもよい。この場合、ランプ１０４からの光がその透光性を有する部分を透過して作業室１０１内に導かれることにより、作業室１０１の明るさとその均一性とを向上させることができる。
【００４１】
本実施の形態のサンドブラスト装置２００，２５０は、上記以外は実施の形態１に説明したサンドブラスト装置１００と同様に構成することができる。
【００４２】
（実施の形態３）
図９（Ａ）は本発明の実施の形態３に係る歯科用サンドブラスト装置に使用されるノズルペンの側面図、図９（Ｂ）はその断面図である。
【００４３】
本実施の形態のノズルペン１４０は、略中空円筒形状のノズルペン本体１４１と、その外周面の一部に外挿された円筒状のグリップ１４２とを備える。グリップ１４２は、ゴムなどの弾性材料からなる。ノズルペン本体１４１の一端にはエアチューブ１４７の一端が接続される。歯科用サンドブラスト装置から砥粒が圧縮空気によってエアチューブ１４７を介してノズルペン本体１４１に圧送され、ノズルペン本体１４１の他端の先端細孔１４１ａから高速気流とともに勢いよく噴出される。この砥粒を被処理物に衝突させて、被処理物の表面をサンドブラスト処理する。
【００４４】
ノズルペン１４０は、図９（Ｂ）の構成に限られず、例えば図９（Ｃ）の構成であっても良い。図９（Ｃ）では、エアチューブ１４７が、砥粒を搬送する砥粒用チューブ１４７ｃと、圧縮空気を供給する圧空用チューブ１４７ｄとからなる。ノズルペン本体１４１の中空部１４１ｂ内において、圧空用チューブ１４７ｄの先端に取り付けられた先細の圧空ノズル１４７ｅは先端細孔１４１ａと同軸に且つわずかな距離だけ離間して配置されている。圧空用チューブ１４７ｄの先端の圧空ノズル１４７ｅから噴出した圧縮空気は、先端細孔１４１ａを通り、先端細孔１４１ａから勢いよく噴射する。このとき、この圧縮空気の流れによって中空部１４１ｂ内に随伴気流が生じ、中空部１４１ｂ内が負圧になる。これにより、砥粒が歯科用サンドブラスト装置から砥粒用チューブ１４７ｃを通じて中空部１４１ｂ内に吸引され、圧縮空気とともに先端細孔１４１ａから勢いよく噴出される。
【００４５】
サンドブラスト処理中は、通常、ゴム手袋を装着した手でノズルペン１４０のグリップ１４２を把持する。このとき、砥粒や被処理物表面から削り取られた粉塵がノズルペン１４０のグリップ１４２及びゴム手袋の外表面に付着する。ところが、グリップ１４２が弾性材料からなるために、粉塵がグリップ１４２の表面に押し込まれ、グリップ１４２の表面とゴム手袋の表面との面接触が確保される。その結果、グリップ１４２とゴム手袋との間の摩擦力の低下が少なく、滑りにくく、手指の疲労を防止できる。
【００４６】
グリップ１４２の材料は特に限定はなく、例えば、天然ゴム、スチレンゴム、ブタジエンゴム、クロロプレンゴム、エチレンプロピレンゴム、ニトリルブタジエンゴム、ブチルゴム、ニトリルゴム、シリコーンゴム、ウレタンゴム、フッ素ゴムなどの各種ゴム材料を用いることができる。また、適度の弾性を有していれば、ゴム材料以外の樹脂材料など（例えば発泡樹脂）を使用することもできる。
【００４７】
サンドブラスト処理は、砥粒の材質や粒度を変えて複数回にわたって行うのが一般的であり、このためにサンドブラスト装置の作業室内には、異なる砥粒を噴射する複数本のノズルペンが装着されていることがある。この複数本のノズルペンの識別を行うために、グリップ１４２に塗料粉（顔料）を混入することが好ましい。従来は、外周面に施された塗装色でノズルペンを識別していた。ところが、塗装は使用とともに砥粒により摩耗してしまい、ついには識別が困難になってしまう。グリップ１４２に塗料粉を混入し、グリップ１４２ごとに混入する塗料粉の色を変えることにより、グリップ１４２の表面が摩耗しても、ノズルペンの識別が可能になる。
【００４８】
混入される塗料粉は特に限定はなく、二酸化チタン、べんがらなどの無機材料、フタロシアニンブルーなどの有機材料など、周知の塗料粉を使用できる。
【００４９】
本実施の形態のノズルペン１４０は、実施の形態１，２で説明した歯科用サンドブラスト装置のノズルペン１４０ａ，１４０ｂとして使用できるのはもちろん、これら以外の公知の歯科用サンドブラスト装置に使用することもできる。特に、密閉された作業室内でサンドブラスト処理を行う歯科用サンドブラスト装置では、砥粒や被処理物表面から削り取られた粉塵がグリップ１４２の外周面に付着しやすいので、特に有効である。
【産業上の利用可能性】
【００５０】
本発明の利用分野は特に制限されず、歯科用鋳造品の外表面処理を行う歯科用サンドブラスト装置に広く利用できる。
【図面の簡単な説明】
【００５１】
【図１】本発明の実施の形態１に係る歯科用サンドブラスト装置の外観斜視図である。
【図２】本発明の実施の形態１に係る歯科用サンドブラスト装置の図１のII−II線での矢視断面図である。
【図３】本発明の実施の形態１に係る歯科用サンドブラスト装置において、作業室の概略構成を示した斜視透視図である。
【図４】本発明の実施の形態１に係る別の歯科用サンドブラスト装置を示した断面図である。
【図５】本発明の実施の形態２に係る歯科用サンドブラスト装置の外観斜視図である。
【図６】本発明の実施の形態２に係る歯科用サンドブラスト装置の図５のVI-VI線での矢視断面図である。
【図７】本発明の実施の形態２に係る別の歯科用サンドブラスト装置を示した外観斜視図である。
【図８】本発明の実施の形態２に係る別の歯科用サンドブラスト装置の図７のVIII-VIII線での矢視断面図である。
【図９】（Ａ）は本発明の実施の形態３に係る歯科用サンドブラスト装置に使用されるノズルペンの側面図、（Ｂ）はその断面図である。（Ｃ）は別のノズルペンの断面図である。
【図１０】従来の歯科用サンドブラスト装置の外観斜視図である。
【図１１】従来の歯科用サンドブラスト装置の内部構造を示した斜視透視図である。
【符号の説明】
【００５２】
１００  歯科用サンドブラスト装置
１０１  作業室
１０２  機械室
１０４  ランプ
１１０  筐体
１１１  覗き窓
１１２  透明板
１１４ａ，１１４ｂ  開口
１１６  蝶板
１３０  隔壁
１３２  照明窓
１３４  透光板
１４０，１４０ａ，１４０ｂ  ノズルペン
１４１  ノズルペン本体
１４１ａ  先端細孔
１４１ｂ  中空部
１４２  グリップ
１４７，１４７ａ，１４７ｂ  エアチューブ
１４７ｃ  砥粒用チューブ
１４７ｄ  圧空用チューブ
１４７ｅ  圧空ノズル
１４８ａ，１４８ｂ  砥粒
１５０  歯科用サンドブラスト装置
１５３  ランプ室
１５２  隔壁
２００  歯科用サンドブラスト装置
２０２  隔壁
２０３  ランプ室
２３０  隔壁
２１０  ランプ交換用の開口
２１２  蓋
２５０  歯科用サンドブラスト装置
２５３  ランプ室
２６０  ランプ交換用の開口
２６２  蓋
２７０  隔壁
【図１】
2005218637.tif 000003
【図２】
2005218637.tif 000004
【図３】
2005218637.tif 000005
【図４】
2005218637.tif 000006
【図５】
2005218637.tif 000007
【図６】
2005218637.tif 000008
【図７】
2005218637.tif 000009
【図８】
2005218637.tif 000010
【図９】
2005218637.tif 000011
【図１０】
2005218637.tif 000012
【図１１】
2005218637.tif 000013